(57)【要約】【課題】可動式のステージを備えたアクティブ除振装置において、時間的な遅れを招くことなく、ステージに関連した共振の発生を抑制する。【解決手段】アクティブ除振装置Ａは、搭載物Ｓの位置決めを行うステージ４と、ステージ４を支持する除振台１と、除振台１に対し、その振動を抑えるような制御力を付与するサーボ弁２４と、ステージ４の移動制御を行うとき、その移動制御に係る情報に基づいた位置指令値及び加速度指令値を事前に取得するステージ情報取得部６ｄと、そのステージ状態信号から、ステージ４に関連した共振の共振周波数成分を除去するように構成された共振抑制部６ｆと、共振抑制部６ｆによって共振周波数成分が除去されたステージ状態信号に基づき、ステージ４の移動に伴って除振台１に生じる振動に見合う制御力となるようサーボ弁２４をフィードフォワード制御する制振フィードフォワード制御部６ｅとを備える。【選択図】図３
2019124265.tif 000002
【特許請求の範囲】
【請求項１】
推力を受けて移動することにより、搭載物の位置決めを行うステージと、
前記ステージへと推力を付与する第１アクチュエータと、
前記第１アクチュエータへと制御信号を入力することにより、該制御信号に応じた推力を発生させる第１制御部と、
前記ステージを支持する除振台と、
前記除振台に対し、その振動を抑えるような制御力を付与する第２アクチュエータと、
前記第１制御部が前記第１アクチュエータを介して前記ステージを移動させるとき、その移動制御に係る情報に基づいたステージ状態信号を事前に取得するステージ情報取得部と、
前記ステージ情報取得部により取得されたステージ状態信号が入力されるとともに、該ステージ状態信号から、前記ステージに係る共振の共振周波数成分を除去するように構成された共振抑制部と、
前記共振抑制部によって前記共振周波数成分が除去されたステージ状態信号に基づいて、前記ステージの移動に伴って前記除振台に生じる振動に見合う制御力となるよう、前記第２アクチュエータをフィードフォワード制御する第２制御部と、を備える
ことを特徴とするアクティブ除振装置。
【請求項２】
請求項１に記載されたアクティブ除振装置において、
前記ステージ情報取得部は、前記ステージ状態信号として、前記ステージに付与される加速度を示す加速度指令値を事前に推定するとともに、
前記共振抑制部は、前記加速度指令値から前記共振周波数成分を除去するように構成されている
ことを特徴とするアクティブ除振装置。
【請求項３】
請求項１に記載されたアクティブ除振装置において、
前記ステージ情報取得部は、前記ステージ状態信号として、前記ステージに付与される推力を示す推力指令値を事前に推定するとともに、
前記共振抑制部は、前記推力指令値から前記共振周波数成分を除去するように構成されている
ことを特徴とするアクティブ除振装置。
【請求項４】
請求項１から３のいずれか１項に記載されたアクティブ除振装置において、
前記共振抑制部は、前記共振周波数成分の除去に前後して、前記ステージ状態信号のゲインを増大させる
ことを特徴とするアクティブ除振装置。
【請求項５】
推力を受けて移動することにより、搭載物の位置決めを行うステージと、
前記ステージへと推力を付与する第１アクチュエータと、
前記第１アクチュエータへと制御信号を入力することにより、該制御信号に応じた推力を発生させる第１制御部と、
前記ステージを支持する除振台と、
前記除振台に対し、その振動を抑えるような制御力を付与する第２アクチュエータと、
前記第１制御部が前記第１アクチュエータを介して前記ステージを移動させるとき、その移動制御に係る情報に基づいたステージ状態信号を事前に取得するステージ情報取得部と、
前記ステージ情報取得部によって取得されたステージ状態信号に基づいて、前記ステージの移動に伴って前記除振台に生じる振動に見合う制御力となるよう、前記第２アクチュエータをフィードフォワード制御するためのフィードフォワード信号を出力する第２制御部と、
前記第２制御部から出力されたフィードフォワード信号が入力されるとともに、該フィードフォワード信号から、前記ステージに係る共振の共振周波数成分を除去した上で前記第２アクチュエータへと出力するよう構成された共振抑制部と、を備える
ことを特徴とするアクティブ除振装置。
【請求項６】
請求項１から５のいずれか１項に記載されたアクティブ除振装置において、
前記共振抑制部は、前記共振周波数成分を透過させないように構成されたディジタルフィルタを有する
ことを特徴とするアクティブ除振装置。
【請求項７】
請求項６に記載されたアクティブ除振装置において、
前記共振抑制部は、前記共振周波数成分を含んだ帯域を阻止するように構成されたノッチフィルタを有する
ことを特徴とするアクティブ除振装置。
【発明の詳細な説明】
【技術分野】
【０００１】
ここに開示する技術は、アクティブ除振装置に関する。
【背景技術】
【０００２】
従来、半導体や液晶パネルなど、各種精密機器の製造装置においては、正確かつ高速な位置決めを実現するべく、その製造対象を可動式のステージ上に搭載することが広く知られている（例えば特許文献１を参照）。
【０００３】
一般に、ステージ上の搭載物は、製造途中の精密機器であるため振動を嫌う。そこで、前記特許文献１には、床からの振動の伝達を可能な限り抑えるべく、アクティブタイプの除振装置を用いることが開示されている。
【０００４】
具体的に、前記特許文献１には、可動式のステージ（移動物）と、そのステージを支持する除振台（定盤）と、この除振台に対し、除振台の振動を抑えるような制御力を付与するアクチュエータ（サーボ弁）と、除振台に設けられた振動センサ（加速度センサ）と、を備えたアクティブ除振装置が記載されている。このアクティブ除振装置は、振動センサからの信号に基づいてアクチュエータをフィードバック制御するように構成されている。
【０００５】
また、床から伝達する振動ばかりでなく、ステージの移動に伴い生じる振動も抑えるべく、前記のようなフィードバック制御に加えて、除振台に対してフィードフォワード制御も行うことも知られている。
【０００６】
具体的に、前記特許文献１に記載されたアクティブ除振装置は、ステージの移動制御を行うとき、その移動制御に係る情報（ステージ制御情報）に基づいてステージの位置及び加速度を事前に推定する。そして、このアクティブ除振装置は、事前の推定結果に基づいたフィードフォワード制御を行う。これにより、除振台に対するフィードフォワード制御を早いタイミングで実行することが可能となる。
【先行技術文献】
【特許文献】
【０００７】
【特許文献１】特許第４９７０９０４号公報
【発明の概要】
【発明が解決しようとする課題】
【０００８】
ところで、前記特許文献１に記載されているように、除振台によって可動式のステージを支持した場合、除振台とステージとの間の振動や、ステージと搭載物との間の振動等が共振に至る可能性がある。そういった共振は、それが実際に生じる前に未然に抑制することが求められる。
【０００９】
また一般に、前記特許文献１に記載されているような可動式のステージにおいては、そのステージに生じる振動を抑えるべく、除振台に対するフィードフォワード制御とは別に、ステージ自身に対してフィードフォワード制御（いわゆるステージＦＦ制御）を行うことも知られている。
【００１０】
そこで、ステージＦＦ制御を成す制御ループ中に、ステージに関連した共振を誘発するような周波数成分（本明細書では、そうした周波数成分を「共振周波数成分」と呼称する）を除去するための、ノッチフィルタ等のディジタルフィルタを介設することが考えられる。この場合、例えばステージに関連したフィードフォワード信号から共振周波数成分を除去することで、共振の発生を未然に抑制できるものと考えられる。
【００１１】
しかし一般に、ディジタルフィルタを透過させたディジタル信号には、位相の遅れが生じてしまう。このことは、ステージＦＦ制御に時間的な遅れを招くことになるため、ステージの応答性等を確保する上で不都合である。
【００１２】
また、単にノッチフィルタを透過させるだけでは、共振周波数成分を取り除いた分だけ、ディジタル信号のゲインが不足する可能性もある。このことは、前述のステージＦＦ制御等、ステージの移動制御の性能（特に、ステージに付与する推力・加速度の確保）という観点からは不都合である。これに対し、仮に、ディジタル信号のゲインを補うための信号処理を追加してしまうと、位相の遅れが一層顕著なものとなるため望ましくない。
【００１３】
ここに開示する技術は、かかる点に鑑みてなされたものであり、その目的とするところは、可動式のステージを備えたアクティブ除振装置において、時間的な遅れを招くことなく、ステージに関連した共振の発生を抑制することにある。
【課題を解決するための手段】
【００１４】
本願発明者等は、鋭意検討を重ねた結果、ステージ側の制御ループと、除振台側の制御ループとが相互に独立していることと、前記特許文献１に記載されているように、ステージの移動制御よりも早いタイミングで除振台を制御可能であることに着目し、本開示を見出すに至った。
【００１５】
具体的に、ここに開示する技術は、アクティブ除振装置に関する。このアクティブ除振装置は、推力を受けて移動することにより、搭載物の位置決めを行うステージと、前記ステージへと推力を付与する第１アクチュエータと、前記第１アクチュエータへと制御信号を入力することにより、該制御信号に応じた推力を発生させる第１制御部と、前記ステージを支持する除振台と、前記除振台に対し、その振動を抑えるような制御力を付与する第２アクチュエータと、前記第１制御部が前記第１アクチュエータを介して前記ステージを移動させるとき、その移動制御に係る情報に基づいたステージ状態信号を事前に取得するステージ情報取得部と、前記ステージ情報取得部により取得されたステージ状態信号が入力されるとともに、該ステージ状態信号から、前記ステージに係る共振の共振周波数成分を除去するように構成された共振抑制部と、前記共振抑制部によって前記共振周波数成分が除去されたステージ状態信号に基づいて、前記ステージの移動に伴って前記除振台に生じる振動に見合う制御力となるよう、前記第２アクチュエータをフィードフォワード制御する第２制御部と、を備える。
【００１６】
ここで、ステージ状態信号は、ステージに付与される加速度や推力など、ステージの共振と直接的に関連した物理量を示す信号としてもよいし、そうした加速度や推力を演算可能なステージの位置等、ステージの共振と間接的に関連したものを用いてもよい。
【００１７】
また、「ステージに係る共振」とは、例えば、ステージの移動に伴い生じる共振としてもよいし、第２アクチュエータから除振台へと付与される制御力がステージに伝達した結果、生じるような共振としてもよい。「ステージに関連した共振」という語も、同様の意味で用いる。
【００１８】
前記の構成によれば、ステージ情報取得部は、ステージ状態信号を事前に取得する。共振抑制部は、事前に取得されたステージ状態信号から共振周波数成分を除去した上で、第２制御部へと出力する。第２制御部は、そうして入力された信号を用いることにより、第２アクチュエータをフィードフォワード制御する。
【００１９】
これにより、ステージ状態信号から共振周波数成分を除去した結果、同信号に位相の遅れが生じたとしても、それに起因した時間的な遅れは、ステージ状態信号を事前のタイミングで取得したことによって減殺される。これにより、時間的な遅れを招くことなく、ステージに関連した共振の発生を抑制することができる。
【００２０】
前記のように、ステージ側の制御ループと、除振台側の制御ループとは相互に独立しているため、除振台側の制御ループにおいて共振周波数成分を除去したとしても、ステージ側では位相の遅れは生じない。このことは、ステージに対して成される移動制御の性能を確保する上で有効である。
【００２１】
また、前記の構成によれば、共振周波数成分が除去されたステージ状態信号に対して、同信号のゲインを補うための信号処理を追加したとしても、前記と同様の事情から、それに起因した時間的な遅れが減殺されて、除振台のフィードフォワード制御を早めに行うことが可能となる。その結果、ステージの移動制御ばかりでなく、除振台に対して成されるフィードフォワード制御の性能を確保する上でも有利になる。
【００２２】
また、前記ステージ情報取得部は、前記ステージ状態信号として、前記ステージに付与される加速度を示す加速度指令値を事前に推定するとともに、前記共振抑制部は、前記加速度指令値から前記共振周波数成分を除去するように構成されている、としてもよい。
【００２３】
前記の構成によれば、加速度指令値から共振周波数成分を除去することで、ステージに関連した共振（ステージに係る共振）が誘発されないようにすることが可能となる。
【００２４】
また、前記ステージ情報取得部は、前記ステージ状態信号として、前記ステージに付与される推力を示す推力指令値を事前に推定するとともに、前記共振抑制部は、前記推力指令値から前記共振周波数成分を除去するように構成されている、としてもよい。
【００２５】
前記の構成によれば、推力指令値から共振周波数成分を除去することで、ステージに関連した共振が誘発されないようにすることが可能となる。
【００２６】
また、前記共振抑制部は、前記共振周波数成分の除去に前後して、前記ステージ状態信号のゲインを増大させる、としてもよい。
【００２７】
この構成によれば、共振周波数成分が除去された後、又は、除去される前のステージ状態信号に対して、同信号のゲインを補う。これにより、除振台におけるフィードフォワード制御の性能を確保する上で有利になる。
【００２８】
また、ここに開示する別の技術は、アクティブ除振装置に関する。このアクティブ除振装置は、推力を受けて移動することにより、搭載物の位置決めを行うステージと、前記ステージへと推力を付与する第１アクチュエータと、前記第１アクチュエータへと制御信号を入力することにより、該制御信号に応じた推力を発生させる第１制御部と、前記ステージを支持する除振台と、前記除振台に対し、その振動を抑えるような制御力を付与する第２アクチュエータと、前記第１制御部が前記第１アクチュエータを介して前記ステージを移動させるとき、その移動制御に係る情報に基づいたステージ状態信号を事前に取得するステージ情報取得部と、前記ステージ情報取得部によって取得されたステージ状態信号に基づいて、前記ステージの移動に伴って前記除振台に生じる振動に見合う制御力となるよう、前記第２アクチュエータをフィードフォワード制御するためのフィードフォワード信号を出力する第２制御部と、前記第２制御部から出力されたフィードフォワード信号が入力されるとともに、該フィードフォワード信号から、前記ステージに係る共振の共振周波数成分を除去した上で前記第２アクチュエータへと出力するよう構成された共振抑制部と、を備える。
【００２９】
前記の構成によれば、ステージ情報取得部は、ステージ状態信号を事前に取得して第２制御部へと出力する。第２制御部は、そうして入力された信号に基づいてフィードフォワード信号を出力する。
【００３０】
これにより、フィードフォワード信号から共振周波数成分を除去した結果、同信号に位相の遅れが生じたとしても、そうした位相の遅れに起因した時間的な遅れは、ステージ情報取得部がステージ状態信号を事前のタイミングで取得したことによって減殺される。これにより、時間的な遅れを招くことなく、ステージに関連した共振の発生を抑制することができる。
【００３１】
また、前記共振抑制部は、前記共振周波数成分を透過させないように構成されたディジタルフィルタを有する、としてもよい。
【００３２】
前記ディジタルフィルタとしては、一般的なローパスフィルタ、バンドエリミネーションフィルタ、ノッチフィルタ等を用いることができる。
【００３３】
また、前記共振抑制部は、前記共振周波数成分を含んだ帯域を阻止するように構成されたノッチフィルタを有する、としてもよい。
【００３４】
一般に、ノッチフィルタは、バンドエリミネーションフィルタと比較して阻止可能な帯域が狭い。よって、ノッチフィルタを用いることで、共振周波数成分をピンポイントで除去することが可能になる。
【発明の効果】
【００３５】
以上説明したように、前記のアクティブ除振装置によると、可動式のステージを備えたアクティブ除振装置において、時間的な遅れを招くことなく、ステージに関連した共振の発生を抑制することができる。
【図面の簡単な説明】
【００３６】
【図１】図１は、アクティブ除振装置の概略構成を例示する図である。
【図２】図２は、ステージに関する制御の構成を例示するブロック図である。
【図３】図３は、除振台に関する制御の構成を例示するブロック図である。
【図４】図４は、共振周波数成分の除去に関連した処理を例示する図である。
【図５】図５は、加速度指令値と、そこから共振周波数成分を除去した上でゲインを増大させて得た信号とを比較して示す図である。
【図６】図６は、ステージの位置の目標値と実測値との差を例示する図である。
【図７】図７は、アクティブ除振装置の第２の実施形態を示す図３対応図である。
【図８】図８は、ステージに関連した制御の変形例を示す図２対応図である。
【発明を実施するための形態】
【００３７】
以下、本発明の実施形態を図面に基づいて説明する。なお、以下の説明は例示である。
【００３８】
《第１の実施形態》
まず、本発明の第１の実施形態について説明する。
【００３９】
−アクティブ除振装置の全体構成−
図１は、本実施形態に係るアクティブ除振装置Ａ（以下、単に「除振装置」と呼称する）の概略構成を例示する図である。また、図２は、除振装置Ａのステージ４に関する制御の構成を例示するブロック図であり、図３は、除振装置Ａの除振台１に関する制御の構成を例示するブロック図である。
【００４０】
除振装置Ａは、例えば半導体関連の製造装置等のように振動の影響を受けやすい精密な装置Ｄを除振台１の上に搭載するようになっている。ここで、装置Ｄ（以下、「搭載装置」ともいう）は、シリコンウェハなど、各種の搭載物Ｓを可動式のステージ４によって支持するものであり、そのステージ４を適切に移動させることにより、ステージ４上の搭載物Ｓを正確かつ高速に位置決めするようになっている。
【００４１】
一般に、ステージ４上の搭載物Ｓは、製造途中の精密機器であるため振動を嫌う。そこで、この除振装置Ａは、床からの振動の伝達を可能な限り抑えるべく、アクティブタイプの除振装置として構成されている。
【００４２】
具体的に、本実施形態に係る除振装置Ａは、推力を受けて移動することにより、搭載物Ｓの位置決めを行うステージ４と、ステージ４を支持する除振台１と、この除振台１に対し、その振動を抑えるような制御力を付与するサーボ弁２４と、を備えている。
【００４３】
以下、各部の構成について詳細に説明する。
【００４４】
ステージ４は、装置Ｄの本体３の上に配設されており、本構成例ではボールネジ機構によって、所定の移動軌跡（この例では水平方向を指す）に沿って移動可能な支持台となっている。ステージ４の上面には、前述の搭載物Ｓが支持されている。なお、ステージ４の案内機構は、ボールネジ機構には限定されない。例えば、いわゆるリニアガイドや空気静圧ガイドを用いてもよい。
【００４５】
この構成例においては、前述のボールネジ機構は、ステージ４内に設けられた内ネジ部（不図示）に螺合するとともに、ステージ４を貫いて水平に延びるネジ棒（不図示）と、このネジ棒に駆動連結されたリニアモータ３１（図２にのみ図示）とから構成されている。リニアモータ３１がネジ棒を回転させることにより、ステージ４は、ネジ棒が延びる方向に沿って移動する。
【００４６】
この実施形態では、後述のステージコントローラ５がリニアモータ３１の駆動を制御することにより、ステージ４に対して水平方向の推力を付与し、そのことで、搭載装置Ｄにおけるステージ４の位置決めを実現するように構成されている。
【００４７】
なお、リニアモータ３１は、「第１アクチュエータ」の例示である。また、ボールネジ機構の代わりにリニアガイドや空気静圧ガイドを用いた場合、リニアモータ３１において回転型モータではなく直動型モータを用いることができる。
【００４８】
リニアモータ３１の駆動を制御するために、ステージ４付近には、移動軌跡上におけるステージ４の位置（搭載装置Ｄにおけるステージ４の変位に相当）と、ステージ４が実際に受ける推力とをそれぞれ検出するためのステージ位置センサＳ４及びステージ推力センサＳ５が付設されている。これらのセンサＳ４，Ｓ５から出力される検知信号がそれぞれステージコントローラ５に入力されるようになっている。なお、ステージコントローラ５は、「第１制御部」の例示である。
【００４９】
除振台１は、いわゆる定盤として構成されており、複数（通常は４個であるが、３個以上であればよい）の空気ばねユニット２，２，…によって下方から弾性的に支持されている。除振台１の上には、装置Ｄの本体３が配設されている。このことは、除振台１が、本体３を介してステージ４を支持しているに等しい。
【００５０】
詳しくは、複数の空気ばねユニット２，２，…は、それぞれ、図示の如く上下方向の荷重を支持する空気ばねによって構成されていて、床面等に配置されて上端が開口するケース２０と、その上端開口にダイヤフラム２１を介して気密状に内挿されて、ケース２０内に空気室を区画するピストン２２とを備えている。こうして空気ばねを用いて荷重を支持することから、除振装置Ａは基本的に優れた除振性能を有するものであるが、さらに、この実施形態では、空気ばねの内圧を制御して、除振台１に対して振動を減殺するような制御力を付与するようになっている。
【００５１】
そのために、各空気ばねユニット２には、その支持位置の近傍における除振台１の加速度とその変位とをそれぞれ検出するためのＦＢ加速度センサＳ１及び変位センサＳ２が付設されている。また、ケース２０の下部における加速度（床振動）を検出するためのＦＦ加速度センサＳ３も設けられており、それら各センサＳ１〜Ｓ３から出力される検知信号がそれぞれコントローラ６に入力される。
【００５２】
また、各空気ばねユニット２には、図外の空気圧源から圧縮空気を供給するための配管が接続され、この配管に介設されたサーボ弁２４により空気ばねへの圧縮空気の供給流量及び排気流量を調整することができる。そして、各センサＳ１〜Ｓ４から入力される信号等に基づいて、コントローラ６によりサーボ弁２４の制御を行い、これにより圧縮空気の供給流量及び排気流量を調整することで、空気ばねの内圧を調整する。そして、後述の如く、除振台１及び搭載装置Ｄの振動を抑えるようになっている。なお、サーボ弁２４は、「第２アクチュエータ」の例示である。
【００５３】
なお、図１では右側の空気ばねユニット２のみに、その制御系である上下方向のＦＢ加速度センサＳ１、変位センサＳ２、ＦＦ加速度センサＳ３、配管、サーボ弁２４等を示しているが、同様の制御系は、各空気ばねユニット２に付設されている。
【００５４】
また、図示しないが、同様の空気ばねユニット２，２，…を除振台１の周囲に水平方向の制御力を発生するためのアクチュエータとして設けたり、或いは、空気ばねユニット２，２，…において複数の空気ばねを水平方向のアクチュエータとして設けたりして、その内圧を制御することにより、搭載装置Ｄの水平方向の振動も抑制することができる。
【００５５】
−ステージに関する制御−
次に、リニアモータ３１を介したステージ４の制御について具体的に説明する。
【００５６】
この構成例では、ステージコントローラ５は、ステージ位置ＦＢ制御部５ａと、ステージ推力ＦＢ制御部５ｂと、ステージ振動推定部５ｃと、ステージ振動ＦＦ制御部５ｄと、を有しており、リニアモータ３１へと制御信号を入力することにより、その制御信号に応じた推力を発生させるよう構成されている。ステージコントローラ５は、そうしてステージ４の移動を制御する。
【００５７】
図２に示すように、リニアモータ３１への入力は、主に、ステージ位置センサＳ４からの信号に基づいてステージ位置ＦＢ制御部５ａにより演算される位置フィードバック操作量と、ステージ推力センサＳ５からの信号に基づいてステージ推力ＦＢ制御部５ｂにより演算される推力フィードバック操作量と、ステージ振動推定部５ｃからの信号に基づいてステージ振動ＦＦ制御部５ｄにより演算される推力フィードフォワード操作量と、を加算することにより成る。ここで、ステージ振動推定部５ｃは、ステージ推力センサＳ５からの信号に基づいて生成した信号をステージ振動ＦＦ制御部５ｄへと出力するようになっている。
【００５８】
ステージ位置ＦＢ制御部５ａは、ステージ位置センサＳ４の検出値、すなわち移動軌跡上におけるステージ４の実際の位置（位置実測値）に基づいて、その位置検出値が所定の目標値（以下、「位置指令値」ともいう）に収束にするようにリニアモータ３１を作動させるものである。例えば、位置実測値、その微分値及び積分値にそれぞれフィードバックゲインを乗算し、それらを足し合わせた後に位置指令値から減算して、リニアモータ３１への制御入力（位置フィードバック操作量）とすればよい。
【００５９】
また、ステージ推力ＦＢ制御部５ｂは、ステージ推力センサＳ５の検出値、すなわち、その移動に際してステージ４が実際に受ける推力（推力実測値）に基づいて、その推力実測値が所定の目標値（以下、「推力指令値」ともいう）に収束するようにリニアモータ３１を作動させるものである。例えば、推力実測値、その微分値及び積分値にそれぞれフィードバックゲインを乗算し、それらを足し合わせた後に推力指令値から減算して、リニアモータ３１への制御入力（推力フィードバック操作量）とすればよい。
【００６０】
また、ステージ振動推定部５ｃは、ステージ推力センサＳ５の検出値に基づいて、ステージ４へ推力を付与することに伴い生じる振動を推定する。例えば、ステージ振動推定部５ｃには、ステージ４が受ける推力と、ステージ４に生じる振動とを関連付けたモデルやマップ等が記憶されていて、前述の推力実測値に対応した振動を示す信号を算出し、ステージ振動ＦＦ制御部５ｄへと入力することができる。
【００６１】
そして、ステージ振動ＦＦ制御部５ｄは、ステージ振動推定部５ｃからの出力信号、つまり、推力の付与に伴ってステージ４に生じる揺れの大きさに基づいて、その振動を減殺するようにリニアモータ３１を作動させるものである。例えば、揺れの大きさを示す信号にフィードフォワードゲインを乗算し、その位相を反転して、リニアモータ３１への制御入力（推力フィードフォワード操作量）とすればよい。
【００６２】
なお、ステージ推力センサＳ５を用いた構成に代えて、例えばリニアモータ３１に入力される電流を検出すると共に、その電流に対してフィードバック制御を行うように構成してもよい。このように、ステージ推力センサＳ５を用いずとも、推力に関連する物理量（例えば、電流の大きさなど、推力の大きさに比例する物理量）を介して推力を間接的に制御してもよい。
【００６３】
この構成例では、ステージコントローラ５は、位置フィードバック操作量、推力フィードバック操作量、及び推力フィードフォワード操作量に応じて決定された電気的な制御信号をリニアモータ３１に入力する。リニアモータ３１は、その制御信号の強さ、つまり制御信号を電流とみなしたときの強弱に応じて、ステージ４に付与する推力の大きさを調整する。すなわち、制御信号の振幅が大きくなるほど、リニアモータ３１が前述のネジ棒に付与するトルクが大きくなって、それに応じて、ステージ４が受ける推力も大きくなる。その際、推力実測値がステージ推力センサＳ５によって検出されて、ステージコントローラ５にフィードバックされる。
【００６４】
こうして、推力をフィードバックすると、実際の推力を示す信号、すなわち推力実測値には、ステージ４が受ける摩擦の影響などが反映されることとなる。一方、推力をフィードフォワードすると、推力実測値には、ステージ４に生じる揺れを減殺した影響などが反映されることになる。
【００６５】
また、リニアモータ３１は、制御信号が示す回転数だけ回転し、現在の回転状態、すなわち位置実測値がステージ位置センサＳ４によって検出されて、ステージコントローラ５にフィードバックされる。
【００６６】
−除振台に関する制御−
次に、サーボ弁２４を介した除振台１の制御について具体的に説明する。便宜上、上下方向の空気ばねの制御についてのみ説明するが、水平方向にも空気ばねを設けた場合、これについても同様の制御が行われる。
【００６７】
この構成例では、コントローラ６は、除振ＦＢ制御部６ａ、制振ＦＢ制御部６ｂ、除振ＦＦ制御部６ｃ、ステージ情報取得部６ｄ等を有しており、サーボ弁２４へと制御信号を入力することにより、除振台１に対し、その振動を抑えるような制御力を付与するよう構成されている。
【００６８】
図３に示すように、サーボ弁２４への入力は、主に、ＦＢ加速度センサＳ１からの信号に基づいて除振ＦＢ制御部６ａにより演算される除振フィードバック操作量と、変位センサＳ２からの出力に基づいて制振ＦＢ制御部６ｂにより演算される制振フィードバック操作量と、ＦＦ加速度センサＳ３からの信号に基づいて除振ＦＦ制御部６ｃにより演算される除振フィードフォワード操作量と、を含んで成る。
【００６９】
図２〜図３から見て取れるように、ステージコントローラ５によって構成されるステージ４側の制御ループと、コントローラ６によって構成される除振台１側の制御ループとは、相互に独立している。
【００７０】
除振ＦＢ制御部６ａは、ＦＢ加速度センサＳ１の検出値、すなわち除振台１の上下方向加速度に基づいて、その振動を減殺するような制御力を空気ばねにより発生させるものであり、例えば、加速度の検出値、その微分値及び積分値にそれぞれフィードバックゲインを乗算し、それらを足し合わせた後に反転して、サーボ弁２４への制御入力とすればよい。
【００７１】
また、制振ＦＢ制御部６ｂは、変位センサＳ２の検出値、すなわち除振台１の上下位置の変化量に基づいて、これが小さくなるように空気ばねの内圧を制御することにより、該除振台１の傾きやこれにより発生する揺れを抑えるものである。例えば、変位の検出値を目標値（零）から減算した後にＰＩＤ制御則にしたがって、サーボ弁２４への制御入力を求めるようにすればよい。
【００７２】
さらに、除振ＦＦ制御部６ｃは、ＦＦ加速度センサＳ３による検出値、すなわち床の振動状態に基づいて、そこから除振対象物へ伝わる振動を打ち消すような逆位相の振動を発生させるためのものであり、例えばディジタルフィルタを用いてサーボ弁２４への制御入力を求めることができる。このディジタルフィルタの特性は、床振動が空気ばねユニット２を介して除振台１に伝わるときの伝達関数Ｈ（ｓ）と、該空気ばねユニット２によって構成される補償系の伝達関数Ｋ（ｓ）を用いて、−Ｈ（ｓ）・Ｋ（ｓ）−１として表される。
【００７３】
そして、前述のような制御入力を受けてサーボ弁２４が作動し、空気ばねユニット２の内圧が制御されることで、除振対象物である除振台１に適切な制御力が付与されることになる。すなわち、床から伝わる振動については、除振フィードフォワード制御によって振動の伝達を抑えつつ、それでも伝達される微小な振動は除振フィードバック制御によって減殺することで、非常に高い除振性能が得られる。
【００７４】
一方で、搭載装置Ｄの作動によって発生する比較的大きな振動、つまり、ステージ４の移動に伴って除振台１に生じる振動（揺れ）については、前述の除振フィードバック制御に加えて制振フィードバック制御を行うことで、除振台１の揺れが減殺されることになるが、フィードバック制御は変位や振動が実際に生じた後に行われることから、その効果は限定的なものにならざるを得ない。特に、前記のように空気ばねを用いて制御力を発生させるようにした場合には、その応答遅れが大きいことから、十分な効果は期待できない。
【００７５】
そこで、この構成例では、ステージ４の移動に伴い生じる振動を抑えるべく、前記のような制振フィードバック制御に加えて、制振フィードフォワード制御を早いタイミングで行うように構成されている。
【００７６】
つまり、この構成例に係るステージ情報取得部６ｄは、ステージコントローラ５がリニアモータ３１を介してステージ４を移動させるとき、その移動制御に係る情報に基づいたステージ状態信号を事前に取得する。コントローラ６は、このステージ状態信号を用いることにより、操作量（制振フィードフォワード操作量）を事前に演算する。除振台１は、そうして演算された制御信号を、空気ばねの制御の時間遅れの分、早いタイミングでサーボ弁２４に入力する。これにより、ステージ４の移動に伴って除振台１に生じる振動に見合う制御力となるように、サーボ弁２４が早いタイミングでフィードフォワード制御される。
【００７７】
そうしたステージ状態信号は、ステージコントローラ５からリニアモータ３１へと出力される制御信号に関連した信号であり、ステージ情報取得部６ｄにおいて事前に推定される。ステージ状態信号としては、ステージ４に付与される加速度を示す加速度指令値や、ステージ４の目標位置を示す位置指令値や、前述の推力指令値等を用いることができる。ステージ状態信号は、ステージ４の仕様や、各種センサによる検知結果に基づいて検知、演算、推定等が可能な信号であればよい。以下の説明では、ステージ状態信号として加速度指令値と位置指令値を併用した場合について例示する。
【００７８】
ところで、本開示のように、除振台１によって可動式のステージ４を支持した場合、除振台１とステージ４との間の振動、ステージ４と搭載物Ｓとの間の振動、前記ネジ棒とステージ４との間の振動等が、共振へと至る可能性がある。そういった共振は、それが実際に生じる前に、未然に抑制することが求められる。
【００７９】
そこで、ステージ振動ＦＦ制御部５ｄを成す制御ループ中に、ステージ４に関連した共振周波数を除去するための、ノッチフィルタ等のディジタルフィルタを介設することが考えられる。これにより、共振の発生を未然に抑制できるものと考えられる。
【００８０】
しかし一般に、ディジタルフィルタを透過させたディジタル信号には、位相の遅れが生じてしまう。このことは、ステージ４のフィードフォワード制御に時間的な遅れを招くことになるため、ステージ４の応答性等を確保する上で不都合である。
【００８１】
また、単にノッチフィルタを透過させるだけでは、共振周波数成分を取り除いた分だけ、ディジタル信号のゲインが不足する可能性もある。このことは、推力等の低下を招くことになるため、ステージ４のフィードフォワード制御の性能という観点からは不都合である。これに対し、仮に、ディジタル信号のゲインを補うための信号処理を追加してしまうと、位相の遅れが一層顕著なものとなるため望ましく無い。
【００８２】
そこで、この構成例では、本発明の特徴部分として、ステージ４側の制御ループではなく、除振台１側の制御ループにおいて、共振周波数成分を取り除くことにした。
【００８３】
すなわち、コントローラ６には、ステージ情報取得部６ｄにより取得された、ステージ状態信号としての位置指令値及び加速度指令値が入力されるとともに、そのうちの加速度指令値から、ステージ４の移動に伴い生じる共振の共振周波数成分を除去するように構成された共振抑制部６ｆと、共振抑制部６ｆによって共振周波数成分が除去された後の加速度指令値に基づいて、ステージ４の移動に伴って除振台１に生じる振動に見合う制御力となるよう、サーボ弁２４をフィードフォワード制御する制振ＦＦ制御部６ｅと、が設けられている。
【００８４】
ここで、制振ＦＦ制御部６ｅは、ステージ４の移動制御に際してステージコントローラ５から送られるタイミング信号を受けて、ステージ状態信号としての加速度指令値と位置指令値に基づいて求めた制振フィードフォワード操作量に対応する制御信号（フィードフォワード信号）を、ステージ４の移動制御よりも早いタイミングでサーボ弁２４へ入力する。この制振ＦＦ制御部６ｅは、「第２制御部」の例示である。
【００８５】
また、共振抑制部６ｆは、ゲインの不足を補うべく、共振周波数成分の除去に前後して、ステージ状態信号（具体的には加速度指令値）のゲインを増大させる。
【００８６】
−共振周波数成分の除去に関連した処理−
前述のように、ステージ情報取得部６ｄは、ステージ４の移動制御に係る情報に基づいたステージ状態信号として、位置指令値と加速度指令値を事前に取得して、共振抑制部６ｆへと出力する。
【００８７】
詳しくは、ステージ情報取得部６ｄは、ステージコントローラ５から出力される信号（例えば、リニアモータ３１へと出力される制御信号）と、ステージ位置センサＳ４及びステージ推力センサＳ５の検出結果と、の少なくとも一方を組み合わせて成るステージ制御情報に基づいて、位置指令値と加速度指令値を推定する。
【００８８】
共振抑制部６ｆは、ステージ状態信号としての位置指令値、及び、加速度指令値のうち、位置指令値については素通りさせる（具体的には、ディジタル信号を施さずに出力する）一方、加速度指令値についてはディジタル処理を通じて共振周波数成分を除去した上で出力するように構成されている。
【００８９】
詳しくは、共振抑制部６ｆは、加速度指令値を成す各周波数成分のうち、所定の共振周波数成分を透過させないように構成されたディジタルフィルタを有する。この構成例では、そうしたディジタルフィルタとして、いわゆるノッチフィルタが設けられている。
【００９０】
このノッチフィルタは、加速度指令値のうち、共振周波数成分を含んだ帯域については透過させない一方で、それ以外の帯域については透過させるようになっている。
【００９１】
図４は、共振周波数成分の除去に関連した処理を例示する図である。図４の（ａ）に示すように、共振周波数成分を含んだ三角波状の加速度指令値（破線参照）にノッチフィルタを通過させると、共振周波数成分が除去された結果、図４（ｂ）に示すような台形状の波形を示す信号（実線参照）が得られる。
【００９２】
しかし、図４（ｂ）から見て取れるように、実線で示す波形のピークは、破線で示す波形のピークよりも、若干、紙面右側へとシフトする。このことは、ノッチフィルタによるディジタル処理の結果、位相に遅れが生じたことを示している。これを受けて、共振抑制部６ｆは、所定のディジタル処理を施すことで、実線で示した信号のピークの位置を、若干、紙面左側へとシフトさせる（図４（ｃ）参照）。これにより、位相の遅れが解消される。こうした処理を行うときには時間的な遅れの発生が懸念されるものの、既に説明したように、ステージ状態信号は事前に得られる信号であるから、ステージ状態信号を早いタイミングで得た分だけ、そうした遅れを減殺することができる。
【００９３】
また、図４（ｂ）〜（ｃ）から見て取れるように、実線の時間積分は、共振周波数成分を除去したことに起因して、破線の時間積分よりも減少してしまう。このことは、その加速度指令値に対応して実現される速度（特に、ステージ４の速度）が減少することを示している。詳細は省略するが、そうした積分量が減少してしまうと、サーボ弁２４を介して除振台１へと付与される制御力もまた減少することになる。このことは、除振台１側で行われるフィードフォワード制御の性能を確保する上で望ましくない。
【００９４】
そこで、共振抑制部６ｆは、所定のディジタル処理を施すことで、実線で示した信号のピークの高さ、つまり、当該信号のゲインを増大させる（図４（ｄ）参照）。これにより、除振台１に対して成されるフィードフォワード制御の性能を確保する上で有利になる。
【００９５】
−制振フィードフォワード操作量の演算方法−
以下、制振フィードフォワード操作量の演算方法を具体的に説明する。
【００９６】
説明の便宜のために、ステージ４に一定の加速度ａが付与されていて、図１に矢印で示すようにステージ４がｘ軸上を直線運動する場合について考えると、まず、ステージ４の基準位置からの移動距離Δｘは、前述の位置指令値と実質的に一致する。こうしてステージ４が移動すると、除振対象物である除振台１全体の重心位置がｘ軸方向に変化し、空気ばねユニット２，２，…への静的な荷重の配分が変化する。このことは、ステージ４の質量（正確には、ステージ４の質量と搭載物Ｓの質量の和）をｍ、重力加速度をｇとして、除振対象物の重心を通るｙ軸の周りに図の時計回りの向き（θ方向）に回転力  Ｎ１＝ｍ・ｇ・Δｘ  が発生する、ということに等しい。
【００９７】
そこで、空気ばねの内圧を制御して、前述の回転力Ｎ１と同じ大きさで反対向き（−θ）の回転力を発生させれば、ステージ４の移動に伴う空気ばねユニット２，２，…への荷重配分の変化に見合うように、それらの空気ばねの内圧を制御して、除振対象物である除振台１の傾き（変位）を抑制し、これに伴う揺れを抑えることができる。図の例では、右側の空気ばねの内圧を高める一方、左側では内圧を低下させることになるが、実際には個々の空気ばねにおける内圧の制御量は、それらの配置（除振対象物の重心を基準とする位置）に応じて幾何学的に特定される。
【００９８】
また、前述のようにステージ４に一定の加速度ａが付与されているときには、このステージ４の移動に伴う反力  Ｆ＝−ｍ・ａ  が装置本体３を介して除振台１に作用することになる。この反力Ｆの作用線は、略水平であって、且つ除振対象物の重心を通っていないので、この作用線と重心との上下方向の距離をｈとすれば、ｙ軸周りには回転力  Ｎ２＝−ｍ・ａ・ｈ  が発生することになる。上下方向の距離ｈは、予め実測してもよい。ステージ４が水平方向に移動することを考慮すると、上下方向の距離ｈは略一定に保たれる。
【００９９】
反力Ｆによって生じる回転力Ｎ２を受け止めるには、前述の回転力Ｎ１と同様に、上下方向の空気ばねの内圧を制御して、回転力Ｎ２と同じ大きさで反対向きの回転力を発生させればよい。ここで回転力Ｎ２の向きは回転力Ｎ１とは反対向き（−θ）になっているから、一般に空気ばねユニット２（サーボ弁２４）への制御入力Ｕとそれが発生する力Ｆａとの間に下式（１）に示す関係があることを考慮すれば、操作量Ｕθは以下の式（２）で表される。
【０１００】
【数１】
2019124265.tif 000003
【０１０１】
【数２】
2019124265.tif 000004
【０１０２】
ここで、式（１）〜（２）においてＫｖ、Ｔｖ、Ａｍは、それぞれサーボ弁２４のゲイン、時定数、空気ばねの受圧面積を表している。
【０１０３】
また、水平方向にも空気ばねを設けている場合は、これによりステージ４が受ける反力Ｆと同じ大きさで反対向き（−ｘ方向）の力を発生させることが望ましく、水平方向の空気ばねに対する操作量Ｕｘは、下式（３）で表される。
【０１０４】
【数３】
2019124265.tif 000005
【０１０５】
なお、操作量Ｕθ、Ｕｘは、前述のように個々の空気ばねの配置に応じて求められる所定の変換式により、それら個々の空気ばねに対する操作量に変換される。制振ＦＦ制御部６ｅは、移動距離Δｘとして、ステージ位置センサＳ４の出力等に基づき推定された位置指令値を用いる一方、加速度ａとして、ステージ推力センサＳ５の出力等に基づき推定された加速度指令値から共振周波数成分を除去したものを用いることにより、操作量Ｕθ、Ｕｘを演算する。
【０１０６】
−アクティブ除振装置の作動−
そして、この構成例では、前記のように求めた制振フィードフォワード操作量に基づく空気ばねの内圧の制御を、前述のように、ステージ４の移動制御よりも早いタイミングで実行するようになっている。
【０１０７】
すなわち、搭載装置Ｄにおいてステージ４の移動制御が行われるときには、まず、その移動制御に関連した制御信号がステージコントローラ５から出力され、コントローラ６に入力される。これを受けて、コントローラ６のステージ情報取得部６ｄは、ステージ４の移動制御が実際に行われるよりも早いタイミングで、ステージ状態信号としての位置指令値と加速度指令値を推定演算して、共振抑制部６ｆへ送る。共振抑制部６ｆは、位置指令値についてはディジタル処理を施さずに制振ＦＦ制御部６ｅへと送る一方、加速度指令値に対して共振周波数成分の除去等を含んで成るディジタル処理を施した上で制振ＦＦ制御部６ｅへと送る。これを受けて、制振ＦＦ制御部６ｅは、前述の如く、空気ばねの内圧を制御するための操作量Ｕθ、Ｕｘを求める。
【０１０８】
そして、ステージ４の移動制御に先立ってステージコントローラ５からタイミング信号が出力されると、これを受けた制振ＦＦ制御部６ｅは、前述のようにして求めた操作量Ｕθ、Ｕｘを、空気ばねの制御における時間遅れの分、ステージ４の制御よりも早いタイミングでサーボ弁２４へ出力する。ステージ４の移動に伴って、搭載装置Ｄを介して除振台１が揺れようとするときに、除振台１に対して適切な制御力を付与して、その揺れを十分に抑制することできる。そして、それでも発生する僅かな揺れは、除振ＦＢ制御部６ａ及び制振ＦＢ制御部６ｂによる加速度及び変位のフィードバック制御によって減殺されることになる。また、除振台１に対して付与した制御力に起因して生じ得る共振については、共振抑制部６ｆによって、その発生が抑制される。
【０１０９】
図５は、加速度指令値と、そこから共振周波数成分を除去してゲインを増大させた後の信号とを比較して示す図である。具体的に、図５は、共振抑制部６ｆにおいてディジタル処理を施す前の加速度指令値（破線）と、共振周波数成分の除去やゲインの増大等のディジタル処理を施した後の加速度指令値（実線）とを比較して示している。
【０１１０】
また、図６は、ステージ４の位置の目標値と実測値との差（位置偏差）を例示する図である。具体的に、図６は、図５に示す加速度指令値に基づいて演算した制振フィードフォワード操作量を用いたときの、制振フィードフォワード制御による揺れの抑制効果を示している。
【０１１１】
なお、図６において、短破線は、制振フィードフォワード制御を行わない場合（水平変位ＭＦＦなし）の位置偏差の推移を示しており、長破線は、制振フィードフォワード制御を行うものの、共振周波数成分を除去する前の加速度指令値（図５の破線に示す加速度指令値）を用いた場合（水平変位ＭＦＦあり）の位置偏差の推移を示しており、実線は、制振フィードフォワード制御を行いかつ共振周波数成分を除去した後の加速度指令値（図５の実線に示す加速度指令値）を用いた場合（水平変位trajectory_filter）の位置偏差の推移を示している。また、１点鎖線は、ステージ４を移動させる際の速度（Theoretical speed）の理論値を示している。
【０１１２】
図６の囲み部Ｒに示すように、制振フィードフォワード制御を行ったときには、それを行わないときと比較して、位置偏差は早めに収束する。しかし、共振周波数成分を除去する前の加速度指令値を用いた場合、図６の長破線に示すように、共振周波数成分に起因した周期的な変動が残存することになる。対して、図６の実線に示すように、共振周波数成分を除去した後の加速度指令値を用いた場合、そうした周期的な変動が取り除かれ、他の構成よりも早いタイミングでゼロへと収束する（つまり、相対的に整定が速い）ことが見て取れよう。
【０１１３】
−まとめ−
以上説明したように、ステージ状態信号としての加速度指令値から共振周波数成分を除去した結果、同信号に位相の遅れが生じたとしても、それに起因した時間的な遅れは、ステージ情報取得部６ｄがステージ状態信号を事前のタイミングで取得したことによって減殺される。これにより、時間的な遅れを招くことなく、ステージ４に関連した共振の発生を抑制することができる。
【０１１４】
また、図２〜図３に示すように、ステージ４側の制御ループと、除振台１側の制御ループとは相互に独立しているため、除振台１側の制御ループにおいて共振周波数成分を除去したとしても、ステージ４側では位相の遅れは生じない。このことは、ステージ４に対して成される移動制御の性能を確保する上で有効である。
【０１１５】
また、共振周波数成分が除去された加速度指令値に対して、同信号のゲインを補うための信号処理を追加したとしても、前記と同様の事情から、それに起因した時間的な遅れが減殺されて、除振台１のフィードフォワード制御を早めに行うことが可能となる。その結果、ステージ４の移動制御ばかりでなく、除振台１に対して成されるフィードフォワード制御の性能を確保する上でも有利になる。
【０１１６】
また一般に、ノッチフィルタは、バンドエリミネーションフィルタと比較して阻止可能な帯域が狭い。よって、ノッチフィルタを用いることで、共振周波数成分をピンポイントで除去することが可能になる。
【０１１７】
《第２の実施形態》
次に、本開示の第２の実施形態について説明する。以下の説明において、第１の実施形態と同様に構成された部分については、同一の符号を付すとともに、その説明を適宜、省略する。
【０１１８】
図７は、アクティブ除振装置の第２の実施形態を示す図３対応図である。同図に示すように、この第２の実施形態に係る制振ＦＦ制御部６ｅ’は、第１の実施形態と比較して、共振抑制部６ｆ’との相対位置関係が変更されており、共振抑制部６ｆ’からの出力を受けるのではなく、ステージ情報取得部６ｄから出力されたステージ状態信号を直に受けるようになっている。
【０１１９】
詳しくは、第２の実施形態に係る制振ＦＦ制御部６ｅ’は、ステージ情報取得部６ｄによって取得されたステージ状態信号に基づいて、ステージ４の移動に伴って除振台１に生じる振動に見合う制御力となるよう、サーボ弁２４をフィードフォワード制御するためのフィードフォワード信号を出力する。
【０１２０】
また、第２の実施形態に係る共振抑制部６ｆ’は、制振ＦＦ制御部６ｅ’から出力されたフィードフォワード信号が入力されるとともに、該フィードフォワード信号から、ステージ４に係る共振の共振周波数成分を除去した上でサーボ弁２４へと出力するよう構成されている。
【０１２１】
これにより、フィードフォワード信号から共振周波数成分を除去した結果、同信号に位相の遅れが生じたとしても、それに起因した時間的な遅れは、ステージ情報取得部６ｄがステージ状態信号を事前のタイミングで取得したことによって減殺される。これにより、除振台１のフィードフォワード制御を早めに行うことが可能となる。その結果、時間的な遅れを招くことなく、ステージ４に関連した共振の発生を抑制することができる。
【０１２２】
《ステージに関連した制御の変形例》
前記第１の実施形態では、ステージ推力センサＳ５による検出結果に基づいて、ステージ４に生じる推力を推定するように構成されていたが、そうした構成には限られない。例えば図８に示すように、ステージ加速度センサＳ６を用いた構成としてもよい。この場合、ステージ振動推定部５ｃは、ステージ推力センサＳ５及びステージ加速度センサＳ６からの出力される信号の少なくとも一方に基づいて、ステージ４に生じる振動を推定することができる。
【０１２３】
また、ステージ振動推定部５ｃ、ステージ推力センサＳ５及びステージ加速度センサＳ６は、共振周波数成分の同定に用いることができる。その場合、ステージ加速度センサＳ６を除振台１上に配置された各部（ボールネジ機構、ステージ４、搭載物Ｓ等）に取り付けることで、より精密な同定を行うことが可能となる。
【０１２４】
《他の実施形態》
前記実施形態では、除振台１用のアクチュエータとしてサーボ弁２４を例示したが、この構成には限られない。例えば、サーボ弁２４の代わりにリニアモータを用いてもよい。
【０１２５】
また、前記実施形態では、ステージ情報取得部６ｄ及び制振ＦＦ制御部６ｅは、双方ともコントローラ６の一部とされていたが、この構成には限られない。ステージ情報取得部６ｄ及び制振ＦＦ制御部６ｅのうちの少なくとも一方をステージコントローラ５の一部としてもよい。
【０１２６】
また、共振抑制部６ｆが有するノッチフィルタは１つに限られない。複数のノッチフィルタを用いてもよい。その場合、複数の共振周波数成分に対応させた構成とすることが可能となる。
【０１２７】
また、共振周波数成分の除去と、ピーク位置の調整やゲインの増大等を行う順番については、図４に示したものに限られず、適宜、変更することができる。
【０１２８】
また、共振抑制部６ｆは、ノッチフィルタに代えて、ローパスフィルタ等、他のディジタルフィルタを備えた構成としてもよい。共振抑制部６ｆの構成は、適宜、変更可能である。例えば、ゲインの増大を行うディジタルフィルタについては、共振抑制部６ｆではなく、ステージ情報取得部６ｄに設けたり、制振動ＦＦ制御部６ｅに設けたりしてもよい。
【符号の説明】
【０１２９】
Ａ      アクティブ除振装置
Ｄ      搭載装置
Ｓ      搭載物
１      除振台
２      空気ばねユニット
３      搭載装置の本体
４      ステージ
５      ステージコントローラ（第１制御部）
６      コントローラ
６ｄ    ステージ情報取得部
６ｅ    制振ＦＦ制御部（第２制御部）
６ｆ    共振抑制部
２４    サーボ弁（第２アクチュエータ）
３１    リニアモータ（第１アクチュエータ）
【図１】
2019124265.tif 000006
【図２】
2019124265.tif 000007
【図３】
2019124265.tif 000008
【図４】
2019124265.tif 000009
【図５】
2019124265.tif 000010
【図６】
2019124265.tif 000011
【図７】
2019124265.tif 000012
【図８】
2019124265.tif 000013